(57)【要約】【課題】  縦型の往復動式の注出装置を口頸部に装着した液体注出容器に於いて、親指で注出装置の噴射ヘッド部の押圧面を親指で押圧すると共に片手で内溶液の注出操作を可能に構成する。【解決手段】  内溶液を収容した中空容器２の口頸部２ａに装着して容器内に垂設されたシリンダー５内に、ピストン６ａ等の作動部材を下端部に連結したステム６を上下動可能に設けると共に、前記ステム上端部に押圧ヘッド部７ｂと噴射ノズル７ａとを有する噴射ヘッド８を嵌合、固定して、押圧ヘッド部を押圧することにより作動部材を上下動せしめて注出可能に構成した注出ポンプ１に於いて、前記押圧ヘッド部の押圧面に当接される親指が係合するのに最適な形状にした凹部７ｃを形成すると共に、該凹部に親指を当接せしめて噴射ヘッドを押し下げることにより、噴射ノズルから注出される内溶液が掌上に受け止められるように形成することにより、片手で内溶液の注出操作をできるように構成された液体注出容器を形成する。【選択図】        図３
2005342567.tif 000002
【特許請求の範囲】
【請求項１】
溶液を収容可能な中空の容器本体２の口頸部２ａに嵌合させた円筒状蓋体３を貫通せしめて容器内に垂設したシリンダ５内に、下端部にはピストン等の作動部材を設けて上下動可能に嵌合せしめると共に、前記シリンダ５の上端開口部より上方へ突出せしめたステムの上端部に噴射ノズルと押圧ヘッド部とを有する噴射ヘッドを嵌着せしめて往復動可能に形成して、前記噴射ヘッドを上下に押圧操作せしめることにより前記ノズル開口部から内溶液を注出するように構成された縦型の往復動式の注出装置を装着した液体注出容器であって、前記噴射ヘッドの押圧ヘッド部の押圧面に係合凹部が形成されてなることを特徴とする液体注出容器。
【請求項２】
前記噴射ヘッドは、押圧ヘッド部の押圧面に親指を当接させて前記噴射ノズルを掌内に包むように把持した状態で押圧可能に形成されてなることを特徴とする請求項１に記載する液体注出容器。
【請求項３】
前記押圧ヘッド部の係合凹部は、親指が当接する面に滑り止めが形成されてなることを特徴とする請求項１に記載する液体注出容器。
【発明の詳細な説明】
【技術分野】
【０００１】
本願の発明は、中空容器内に収容された各種の液状物質を注出するのに、往復動式の吸い上げポンプを液体容器の口頸部に装着して、内部の液状物を注出可能にした液体注出容器に係わるもので、中でも、中空容器に収容された粘度の高い溶液を注出するのに適した縦型の往復動式の液体注出ポンプにおいて、押圧しやすくした噴射ヘッドを備えた液体注出容器に関するものである。
【背景技術】
【０００２】
従来から使用されている洗剤やシャンプーあるいは種々の液体化粧品等の溶液が収容された中空容器にあっては、これらの内容物を取り出して使用する必要がある場合には、内容物が注出可能な状態に各種容器の蓋を開いてから、容器を手に持って傾けながら内容物を流し出すようにするか、又は、合成樹脂等の柔軟な液体容器は手中に持った状態で容器の胴壁を押圧して、圧縮変形させながら内容物を押し出すようにしたものが一般的であった。
【０００３】
しかし、このような方法により内溶液を注出するようにした容器の場合には、両手を使って容器の蓋を開けなければならず、また、容器が大きかったり、重かったりすると、内溶液を注出するのにいささか不便さを感ずることから、近年は、各種の注出装置を液体容器の開口部に装着しておいて、ポンプの作用により内容液を注出できるようにした容器が、多用されるようになってきている。
【０００４】
このような液体容器に使用される注出装置としては、中空容器の口頸部に螺着して容器内へ垂設させたシリンダの内部に設けたピストンを作動部材により上下動させることにより、容器内に収容されている各種溶液を前記シリンダの下端部に設けた吸い込み弁を介してシリンダ内に吸い上げて、該シリンダ内で溶液を加圧せしめることにより、シリンダの上端部に設けられた噴射ヘッドを介して噴射ノズルから注出するような構成にした小型の注出ポンプが一般的に使用されるようになってきている。
【０００５】
従来から汎用されいる縦型の往復動式の注出ポンプの一般的な形としては、図５に示すように、容器本体３２の口頸部３２ａに螺着した蓋体３３により容器内に垂設するシリンダ３５の下端部に形成された弁座３５ｂにボール３５ａが密着するように設けて吸い込み弁を形成し、また、前記シリンダ内に上下動可能に嵌合した筒状ピストン３６ａを有するステム３６の上端部に形成された弁座３６ｂにボル３６ｃが密着するように設けた吐出弁を形成してポンプ本体を形成すると共に、前記ステム３６の上端部に押圧ヘッド部３８ａと噴射ノズル３７とを有する噴射ヘッド３８を嵌合、固定して構成した注出ポンプ３１のピストンを上下動操作により注出するものである。
【０００６】
上記のような構成をした注出ポンプを操作して内溶液を注出するには、噴射ヘッドの押圧面に指先や掌を押し当てて下方へ押し下げて、ステムとピストンを上下動させなければならないが、指先や掌を押し当てる噴射ヘッド部の押圧面は円形状をした平坦な面か、あるいは、上向きの円弧状に湾曲した面に形成されているのが一般的である。
【０００７】
しかし、使用に際して噴射ヘッド部を押し下げるには、ステムやピストン等の作動部材を上方へ付勢している弾性部材と空気圧に抗した力を加えなければならず、初動操作の際にはやや大きな押圧力が必要となったり、指先を滑らすようなことがある。
そこで、図４（ａ）に示すように、噴射ヘッド２１の押圧ヘッド２１ａ面をゴム等の軟質材２２で覆うことにより、指先が受ける反発力をやわらげたり、滑らないようにしたり（実開平３−１１４５４号公報）、また、図４（ｂ）に示すように、噴射ヘッド２５の押圧ヘッド２５ａ面に下向きに湾曲面した窪み部２６を設けて、指先が押圧面から滑ってずれたりすることないようにしたものが（実公平４−１５６６７号や実開昭６４−２９１６２公報）等に提案されている。
そして、押圧ヘッド部をこのような構造に形成した注出ポンプは、従来のものに比べれば指先にかかる初動圧が軽減できたり、また、指先の滑りも回避することができて、使い勝手が良くなっいるが、片手で使用することはできずやや不便な点があることから、まだ改良の余地がある。
【発明の開示】
【発明が解決しようとする課題】
【０００８】
本発明は、上記したような問題点を改良すべく、縦型の往復動式の注出ポンプを装着した液体注出容器に於いて、内溶液を注出しようとして、押圧面に指先を当てて噴射ヘッド部を押し下げる際に、指先にかかる初動圧の感覚を和らげることができるようにすると共に、指先が噴射ヘッド部の押圧面から滑ってずれることがないようにして、また、片手でも内溶液を注出して使用できるような構造をした液体注出容器を提供することを目的とするものである。
【課題を解決するための手段】
【０００９】
容器本体の口頸部に装着して容器内に垂設されたシリンダー内に上下動可能に設けた作動部材のステム上端部に、押圧ヘッド部と噴射ノズルとを有する噴射ヘッドを嵌合、固定して、押圧ヘッド部を押圧することにより作動部材を上下動せしめて注出可能に構成した注出ポンプに於いて、前記押圧ヘッド部の押圧面に当接される親指が係合するのに最適な形状にした凹部を形成すると共に、該凹部に親指を当接せしめて噴射ヘッドを押し下げた際には、噴射ノズルから注出される内溶液が掌上に受け止められるように形成することにより、片手で内溶液の注出操作をできるように構成された液体注出容器を形成する。
【発明の効果】
【００１０】
本願発明は上記したような構成にしたことにより、指先が押圧面から滑るようなこともなく片手で注出ポンプの注出操作を行って、確実に掌上に内溶液を注出することができることから、もう一方の手では別のことを行うことができて、また、噴射ヘッドの押圧部に形成された親指の係合凹部の表面に軟質材層を設けておくことにより、押圧時の感触を高めることができると共に、初動圧の反発力を弱めて指先が痛くなるようなことを防止することもできる。
【発明の実施の形態】
【００１１】
以下に、本願発明の実施の形態について、最適な一つの実施例に基づいて図面を参照しつつ説明する。
本願発明は、図１および図２に示すように、容器本体２の口頸部２ａの外周に嵌合または螺着させた円筒状蓋体３を介してシリンダ５を容器本体内に垂設した状態に固定すると共に、該シリンダの下端部の内部には吸入口を開閉する吸い込み弁部Ｃを設けて注出ポンプ本体を構成すると共に、下端部にピストン６ａを設けた筒状体を前記シリンダ５内に上下動可能に嵌合せしめると共に、上端部に吐出弁部Ｂを設けてシリンダの上端開口部より上方に突出せしめてステム６を形成して、該ステムの上端部に噴射ノズル７ａと押圧ヘッド部７ｂとを有する噴射ヘッド８を嵌着せしめて、噴射ヘッドの押圧により往復動が可能な作動部材が構成されている。
【００１２】
そして、前記ステム６の下端部とシリンダ５の底部に設けた弁部材４との間に前記作動部材を上方へ付勢するようにコイルスプリング９を設けて、また、ステム６上端部の吐出弁部との間の吐出路にはボール弁６ｂを案内するためのリブ状の突起８ｂを設けて、前記噴射ヘッド部８の押圧ヘッドを押圧操作することにより作動部材を上下動せしめて容器内の溶液を噴射ノズル７から噴射するように構成された一般的な液体注出ポンプ１である。
【００１３】
本願発明は、上記のように構成された縦型の通常の液体注出ポンプ１に於いて、図２および図３に示すように、前記ステム６の上端部に設けられた噴射ヘッド８の押圧ヘッド部７ｂの押圧面に、押圧する親指が係合するのに適合した形状の係合凹部７ｃを形成する。
即ち、押圧ヘッド部７ｂの係合凹部７ｃは、ノズルが突出したのとは反対側の押圧面は親指の先端部が係合するように半円形状に窪ませて形成されて、突出したノズル側は親指の腹部が係合して関節部付近で終わるような傾斜した曲面が連接して形成されていて、係合凹部７ｃに親指を押し当てた場合に、親指は先端部が半円形状の窪み面に接して、関節部付近で人指し指との間にノズルの付け根を挟むような格好になる。
【００１４】
このように噴射ヘッド８の押圧面に親指の係合凹部７ｃが設けられた液体注出ポンプ１は、図３に示すように、噴射ノズル７ａを掌に包むような格好にして親指を前記係合凹部面に当接させてノズルを把持した状態にしてから、親指により噴射ヘッドを押し下げると、作動部材の働きにより弁板４ｃが閉じられてシリンダ５内で加圧された内溶液は、吐出路を経て噴射ノズル７ａの先端の開口部から掌上に注出される。
尚、本願発明においては、前記ステム６を人指し指と中指の間に挟むようにして噴射ノズル７ａを掌に包んだ格好にしてから、親指を前記係合凹部７ｃ面に当接させた状態を保って噴射ヘッド８を押し下げることにより、内溶液を噴射ノズル７ａの先端開口から掌上に注出することも可能である。
【００１５】
本願発明は、上記したように通常の縦型の液体注出ポンプに於いて、噴射ノズル７ａを掌内に包むような格好で把持して、そのままの状態を保って親指で噴射ヘッド８を押し下げて注出操作をできるような構造にしたものであるから、台等の上に載置された容器本体２の注出ポンプの噴射ヘッド８を片手で押圧して掌上に内溶液を注出することができる。
また、親指が係合するように前記噴射ヘッド８の押圧部に形成された係合凹部７ｃの表面に、ゴムや発泡樹脂等の軟質材層を設けておくことにより、親指にかかる作動部材等による反発力を緩和することが可能となり、また、前記係合凹部の表面を梨地状や小さな凹凸状に形成しておくことにより、押圧時に指先が滑ってずれるようなことを確実に防止することが可能になる。
【図面の簡単な説明】
【００１６】
【図１】本願発明の注出ポンプを示す斜視図である。
【図２】図１に示す本願発明の縦断面図である。
【図３】本願発明の注出ポンプの使用状態を示す斜視図である。
【図４】本願発明の先行例となる噴射ヘッドの押圧部を示す斜視ずである。
【図５】本願発明に用いる一般的な縦型の注出ポンプを示すの縦断面図である。
【符号の説明】
【００１７】
１．    液体注出ポンプ
２．    容器本体
３．    円筒状蓋体
４．    弁部材
５．    シリンダ
６．    ステム
６ａ．  ピストン
６ｂ．  ボール弁
７ａ．  噴射ノズル
７ｂ．  押圧ヘッド部
７ｃ．  係合凹部
８．    噴射ヘッド
９．    コイルスプリング
【図１】
2005342567.tif 000003
【図２】
2005342567.tif 000004
【図３】
2005342567.tif 000005
【図４】
2005342567.tif 000006
【図５】
2005342567.tif 000007